(57)【要約】【課題】ランドセルに取り付けた防犯ブザーを、児童でも簡単に自分のランドセルに固定可能で、かつ操作紐を自分の胸部付近に固定することができ、さらに防犯ブザーの位置を調節することができるランドセル用防犯ブザー固定具を提供すること。【解決手段】  本防犯ブザー固定具はランドセル１１の背負いベルト１３を保持して本固定具を背負いベルト１３に固定するための背負いベルト保持部２５と、ランドセルの背負いベルト連結環２６に係合させて背負いベルト１３の長さ方向に本固定具を位置調節可能とする背負いベルト連結環係合部２２と、前記防犯ブザー１４を固定するためのブザー固定部２８と、前記防犯ブザーの操作紐１０を保持する紐保持部２７から構成される。【選択図】図３
0003111498.tif 000002
【実用新案登録請求の範囲】
【請求項１】
ランドセルに取り付けた防犯ブザーを固定するための固定ベルトであって、ランドセルの背負いベルト連結環に係合させて該ベルト長さ方向に該固定ベルトを位置調節可能とする背負いベルト連結環係合部と、ランドセルの背負いベルトを保持するとともに前記防犯ブザーの吊るし紐を固定するための背負いベルト保持部と、前記背負いベルトを保持するとともに前記防犯ブザーを固定するためのブザー固定部と、前記背負いベルトを保持するとともに前記防犯ブザーの操作紐を固定するための紐固定部を備えることを特徴とするランドセル用防犯ブザー固定ベルト。
【請求項２】
前記背負いベルト保持部と前記背負いベルト連結環係合部の折り返し部とが、面ファスナーで結合可能であることを特徴とする請求項１記載のランドセル用防犯ブザー固定ベルト。
【請求項３】
前記ブザー固定部が弾性部材からなることを特徴とする請求項１又は２記載のランドセル用防犯ブザー固定ベルト。
【請求項４】
前記防犯ブザー固定ベルトの前記背負いベルト当接面に、滑り止め処理が施されていることを特徴とする請求項１、２又は３記載のランドセル用防犯ブザー固定ベルト。
【請求項５】
前記背負いベルト保持部が、中空筒状内部に前記背負いベルトを通して該背負いベルトを保持して該固定ベルトを固定することを特徴とする請求項１〜４いずれかに記載のランドセル用防犯ブザー固定ベルト。
【請求項６】
前記背負いベルト保持部、ブザー固定部及び操作紐固定部が係合手段を備えた一対又はそれ以上の係合片からなり、該係合片を前記背負いベルトを抱き込みつつ係合することにより該背負いベルトを把持して固定することを特徴とする請求項１〜５いずれかに記載のランドセル用防犯ブザー固定ベルト。
【考案の詳細な説明】
【技術分野】
【０００１】
本考案は、ランドセル、リュックサック、ショルダーバッグ等に取り付けた防犯ブザーを、使用し易い位置に固定するための防犯ブザー固定ベルトに関する。
【背景技術】
【０００２】
児童が安心し、かつ安全に登下校できるようにするため、様々な防犯用品が開発されている。特に最近では警察や学校による指導もあり、防犯ブザーを携帯する小学児童が増加している。しかし、子供に直接防犯ブザーを携帯させても、置き忘れ等の紛失が多く、通学途中に常時携帯させるのは至難の業である。そこで子供たちのランドセルに防犯ブザーを取り付ければ、紛失は少なくなるが、緊急時、防犯ブザーを操作するためには操作紐を引いて警報音を発しなければならないため、防犯ブザーをランドセルのどこにどのように取り付けるかが重要な問題となる。ランドセルの側面（マチ部）や底面に防犯ブザーを取り付けるための取り付け具が提供されているが、児童によっては操作紐に手が届かない場合がある。とっさに操作紐を引っ張るためには、児童の胸部付近に防犯ブザーが位置することが必要であり、児童の体の大きさの個人差や成長過程に合わせて最適に位置調節可能であることが望ましい。この問題を解決するために防犯ブザー具（特許文献１）やランドセル（特許文献２）が考案されている。従来考案されているランドセル用防犯ブザー取り付け具（特許文献３）の使用例を図１に示す。防犯ブザー取り付け具は、布製筒状の本体１５にランドセル背負いベルト１３を通した後取り付け紐１７によって背負いベルト連結環２６に結び付けられ背負いベルト１３に固定されている。取り付け具本体１５の背負いベルト連結環２６反対側には係合部９を備え、該係合部９に防犯ブザー１７の吊るし紐１８を係合させ取り付ける。防犯ブザー操作紐１０にはとっさに紐を引き易いように笛等を取り付ける場合もある。
【０００３】
上記従来の取り付け具では、防犯ブザー１７の位置を調節することは容易ではなかった。また、吊るし紐１８を介して取り付けられた防犯ブザーは、操作紐１０とともに可動であり児童が走っている場合には走りながら操作紐１０を引っ張ることは難しい。
【０００４】
防犯ブザーを簡単に固定することが可能で、かつ操作紐を確実に胸部付近に固定することができ、さらに体の大きさに合わせて防犯ブザーの位置調節が可能なランドセル用防犯ブザー固定具は考案者の知る限り提供されていない。
【特許文献１】特開２００１−２７５７３２公報
【特許文献２】実用新案登録第３１０６３５７号公報
【特許文献３】インターネットオークション、商品名「ブザーつりつり」、[online]、  [平成１７年３月４日検索]、インターネット＜ＵＲＬ：ｈｔｔｐ：／／ｈｏｍｅｐａｇｅ３．ｎｉｆｔｙ．ｃｏｍ／ｓａｖｅ−ｋｉｄｓ／ｔｏｐ０１．ｈｔｍｌ＞-
【考案の開示】
【考案が解決しようとする課題】
【０００５】
本考案は、上記問題を解決するために、ランドセルに取り付けた防犯ブザーを、児童でも簡単に自分のランドセルに固定可能で、かつ操作紐を自分の胸部付近に固定することができ、さらに防犯ブザーの位置を調節することができるランドセル用防犯ブザー固定ベルトを提供することを課題とする。
【課題を解決するための手段】
【０００６】
上記課題を解決するために、本考案は、ランドセルに取り付けた防犯ブザーを固定するための固定ベルトであって、ランドセルの背負いベルト連結環に係合させて該背負いベルト長さ方向に該固定ベルトを位置調節可能とする背負いベルト連結環係合部と、ランドセルの背負いベルトを保持するとともに防犯ブザー吊るし紐を固定するための背負いベルト保持部と、背負いベルトを保持するとともに防犯ブザーを固定するためのブザー固定部と、背負いベルトを保持するとともに防犯ブザーの操作紐を固定するための紐固定部を備えることを特徴とする。
【０００７】
防犯ブザー本体は、該ブザーに付属する吊し紐によって直接ランドセルの背負いベルト連結環に結びつけられている。しかし吊し紐で結び付けただけでは、防犯ブザー本体は吊り下げられているだけでその位置は安定しない。本考案は、吊り下げられた防犯ブザーの本体と操作紐をランドセル背負いベルト上の児童の胸部付近で固定し、とっさの場合には児童が走りながらでも確実に操作紐を引くことを可能にする。さらに、操作紐の先端に笛等を取り付けておけば、児童の手でも操作紐をつかみ易くなり、かつその笛を吹くことにより警報音効果がダブルに増大する。
【０００８】
背負いベルト保持部の外側面と背負いベルト連結環係合部の折り返し部とは、面ファスナーで結合可能であることが望ましい。背負いベルト連結環係合部をランドセルの背負いベルト連結環に通した後、その折り返し部を背負いベルト保持部の外側面と面ファスナーで結合することができれば、背負いベルトの長さ方向に固定ベルトの位置を簡単に調節することが可能となる。位置調節可能な係合手段としては面ファスナーを好適に使用できるが、背負いベルトの長さ方向に本固定ベルトの位置の調節が可能な係合手段であれば、ボタン、ホック、バックル等でもよい。さらに、係合した折り返し部の表面に反射ワッペン等を取り付ければ、暗がりの中でも児童を発見し易く、また交通安全にも効果がある。
【０００９】
また、ブザー固定部が弾性部材からなることが望ましい。防犯ブザーの機種により大きさが異なるため、様々な機種に対応可能である。
【００１０】
防犯ブザー固定ベルトの前記背負いベルト当接面に滑り止め処理が施されていれば、本固定ベルトが背負いベルト上を滑るのを防ぐことができ、固定した防犯ブザーを適当な位置に保持する効果がある。
【００１１】
本考案の防犯ブザー固定ベルトは、背負いベルト保持部、ブザー固定部及び操作紐固定部でランドセル背負いベルトを保持することによって背負いベルト裏面に固定される。背負いベルト保持構造としては、中空筒状の背負いベルト保持部及び環状のブザー固定部と操作紐固定部にランドセル背負いベルトを通すことにより保持固定する構造とすることができる。
【００１２】
また、他のベルト保持構造としては、背負いベルト保持部、ブザー固定部及び操作紐固定部を係合手段を備えた一対又はそれ以上の係合片とし、該係合片を背負いベルトを抱き込みつつ係合することにより背負いベルトを把持して固定する構造とすることも可能である。背負いベルトの一端を留め具から外す必要がなく、装着が容易である。さらに前記係合手段を面ファスナーとすれば取り付け操作は容易となる。
【考案を実施するための最良の形態】
【００１３】
本発明に係る防犯ブザー固定ベルトの実施形態について、図面に基づいて詳細に説明する。なお、本考案の実施形態としてランドセルに使用する場合を例にとり説明するが、それに限られるものではなく、リュックサック、ショルダーバッグ等防犯ブザーを取り付けて使用するカバン類に使用可能である。
【００１４】
図２において本考案に係る防犯ブザー固定ベルトの使用例を示す。
【００１５】
本防犯ブザー固定ベルトは、ベルト本体をランドセル１１の背負いベルト３の裏面に当接させ、背負いベルト保持部２５、ブザー固定部２８及び操作紐固定部２７によって背負いベルトを保持し固定される。同時に、背負いベルト連結環係合部２２（図３）を背負いベルト連結環に係合させて本固定ベルトを背負いベルト長さ方向に固定するとともに、折り返し部２２ａの長さを調節することにより防犯ブザー固定部２８の背負いベルト上での位置を調節可能である。折り返し部２２は、背負いベルト保持部２５の外側面と面ファスナー３３で係合される。面ファスナー３３ａ、３３ｂは係合位置を適宜設定可能なため、防犯ブザーが胸部の最適な位置になるよう簡単に調節できる。また、背負いベルト保持部２５表面のベルト長さ方向に複数個のボタン（図示せず）を配設し、折り返し部に設けたボタン係合穴を適当な位置のボタンと係合させることにより位置の調節を行なうこともできる。さらに、前記ボタンとボタン係合穴の代わりに複数対のホックやバックルを利用してもよい。折り返し部２２の表面には反射ワッペン２１が帖着されている。図２では星型反射ワッペンとしたが、形状にとらわれるものではない。暗闇の中でも児童を発見しやすく、交通安全にもつながる。
【００１６】
防犯ブザー１４はゴム紐等の弾性部材からなるブザー固定部２８で固定される。また、防犯ブザー１４の吊るし紐１８は、背負いベルト連結環２６又はランドセル吊るし環２４に結び付け、結び目から防犯ブザー本体に至る吊るし紐のほとんどの部分は、背負いベルト保持部２５により背負いベルト上に固定されている。さらに、防犯ブザー本体から下方に伸びる操作紐１０のほとんどは、操作紐固定部２７により背負いベルト上に固定される。
【００１７】
上記構成をとることにより、防犯ブザー本体及び操作紐を児童の胸部付近の背負いベルト上最適な位置で固定することができ、とっさの場合走りながらでも確実に操作紐を引っ張ることができる。また、操作紐先端に取り付けられた笛２０を掴めば容易に操作紐を引っ張ることができる。笛２０以外にも他のアクセサリー部材を取り付け可能であるが、笛を取り付けておけば笛２０を吹いて警報音の効果を増大させることができる。
【００１８】
図３は、ランドセルの背負いベルト連結環２６に本固定ベルトの背負いベルト連結環係合部２２を係合する様子を示している。
【００１９】
図４において、本固定ベルトの展開正面図を示す。
【００２０】
固定ベルト本体３０の一部は、背負いベルト連結環係合部２２とされており、背負いベルト連結環２６に係合後折り返し部２２ａに設けた面ファスナー３３ａを背負いベルト保持部２５に設けた面ファスナー３３ｂと係合する。固定ベルト本体３０の長さは、約２０〜１００ｃｍ、望ましくは約３０〜７０ｃｍとする。長すぎると折り返し部２２に発生する余剰部分により防犯ブザー１４の操作に支障をきたすおそれがあり、短すぎると防犯ブザー１４の位置調節幅がほとんど無くなってしまう。また、面ファスナー３３ａの設置領域は固定ベルト本体３０の上端から約２０ｃｍまで、望ましくは約１０ｃｍまでとする。面ファスナー３３ａをベルト保持部２５に設けた面ファスナー３３ｂと係合したときに充分な係合力を発揮する面積が必要である。面ファスナー３３ａは接着剤により貼着又は縫い付けることができる。
【００２１】
固定ベルト本体３０には背負いベルト保持部２５が設けられている。図３では、背負いベルト保持部２５の展開図を示すが、使用時は係合片２５ａ、２５ｂを縫合して筒状とし、その内部に背負いベルト３を通して固定ベルト本体３０を固定する。背負いベルト保持部２５の長さは約５〜３０ｃｍ、望ましくは約１０〜２０ｃｍとする。背負いベルト保持部２５上端部が背負いベルト連結環２６と接触しても問題は無いが、下端部の下方にはブザー固定部２８及び操作紐固定部２７を設ける余剰部分が必要である。背負いベルト保持部２５の幅は約３〜１５ｃｍ、望ましくは約５〜１０ｃｍとする。背負いベルトを通すことができる幅であればよいが幅が広すぎては固定ベルト本体３０を背負いベルトに固定することができない。背負いベルト保持部２５の外側面には面ファスナー３３ｂが取り付けられ、前記面ファスナー３３ａと係合する。図３においては面ファスナー３３ｂが係合片２５ａ、２５ｂ両方に設けられているが、両係合片を縫合して筒状として使用する場合は、いずれか一方に面ファナー３３ｂを取り付ければ足りる。
【００２２】
固定ベルトの背負いベルト当接面には、滑り止め部材３４が取り付けられている。滑り止め部材の材質としてウレタン、ゴム、皮革等を使用することができる。当接する相手の背負いベルトの材質と接触したときに高い摩擦係数を有する材質が望ましい。一旦調節した防犯ブザー１４の位置が容易にずれることを防止する効果がある。
【００２３】
固定ベルト本体３０の背負いベルト保持部２５下方にはブザー固定部２８及び操作紐固定部２７が設けられている。ブザー固定部２８は、帯状部材の両端２７ａ、２７ａ（図５）を固定ベルト本体３０に縫合して環状部を形成している。防犯ブザー本体１４は、該環状部に挿入して固定する。帯状部材は、ゴム紐等弾性部材であることが望ましい。様々な大きさの防犯ブザーに対応可能とするためである。操作紐固定部２７も帯状部材の両端２８ａ、２８ａ（図５）を固定ベルト本体３０に縫合して環状部を形成している。該環状部に防犯ブザーの操作紐１０を通し固定する。
【００２４】
図５は、本防犯ブザー固定ベルトの展開裏面図を示す。
【００２５】
背負いベルト保持部２５は、固定ベルト本体３０の裏面に縫合されている。
【００２６】
図６は、本防犯ブザー固定ベルトの平面図を示す。
【００２７】
背負いベルト保持部２５は、前記係合片２５ａ、２５ｂで背負いベルトを通す筒状部を形成するように縫合部２５ｃにおいて縫合されている。背負いベルト保持部２５のＶＩ−ＶＩ断面図を図７（Ａ）に示す。
【００２８】
固定ベルト本体３０の裏面に縫合された背負いベルト保持部２５は、一対の係合片２５ａ、２５ｂで筒状部５０を形成するように２５ｃにおいて縫合されている。筒状部５０によって背負いベルト３を保持し固定ベルト本体３０の背負いベルト３当接面には、滑り止め部材３４が背負いベルト保持部２５とともに縫合されている。また、背負いベルト保持部２５の外側面には面ファスナー３３ｂを備え背負いベルト連結環係合部２２の折り返し部２２ａに設けた面ファスナー３３ａと係合する。
【００２９】
本考案に係る背負いベルト保持部２５の構造を、係合片２５ａ、２５ｂで背負いベルトを抱き込みつつ係合することにより背負いベルトを把持して固定する構造とした場合の背負いベルト保持部２５のＶＩ−ＶＩ断面図を図７（Ｂ）に示す。
【００３０】
係合片２５ａ、２５ｂが重複する部分に面ファスナー３３を配し互いに係合可能とする。面ファスナーだけでなく、線状ファスナー（ジッパー、チャック）、ボタン、ホック等を係合手段とすることも可能である。  背負いベルト保持部２５だけでなく、ブザー固定部２７及び操作紐固定部２８についても係合片で背負いベルト３を抱き込みつつ係合することにより背負いベルトを把持して固定する構造とすることができる。この場合の係合手段も背負いベルト保持部２５と同様、面ファスナー、線状ファスナー（ジッパー、チャック）、ボタン、ホック等とすることができる。ランドセルから背負いベルトを外さないで本固定ベルトが装着でき、取り付け作業が容易となる。
【図面の簡単な説明】
【００３１】
【図１】従来のランドセル用防犯ブザー取り付け具の使用例を示す斜視図。
【図２】本考案のランドセル用防犯ブザー固定ベルトの一使用例を示す斜視図。
【図３】本考案のランドセル用防犯ブザー固定ベルトの装着方法を示す斜視図。
【図４】本考案に係るランドセル用防犯ブザー固定ベルトの展開正面図。
【図５】本考案に係るランドセル用防犯ブザー固定ベルトの展開裏面図。
【図６】本考案に係るランドセル用防犯ブザー固定ベルトの平面図。
【図７】本考案に係るランドセル用防犯ブザー固定ベルトの一実施例を示した図６ＶＩ−ＶＩ断面図（Ａ）及びその他の実施例を示した同断面図（Ｂ）。
【符号の説明】
【００３２】
１０    防犯ブザー操作紐
１３    背負いベルト
１４    防犯ブザー
１８    防犯ブザー吊るし紐
２２    背負いベルト連結環係合部
２２ａ  折り返し部
２５    背負いベルト保持部
２６    背負いベルト連結環
２７    操作紐固定部
２８    防犯ブザー固定部
３０    防犯ブザー固定ベルト本体
【図１】
0003111498.tif 000003
【図２】
0003111498.tif 000004
【図３】
0003111498.tif 000005
【図４】
0003111498.tif 000006
【図５】
0003111498.tif 000007
【図６】
0003111498.tif 000008
【図７】
0003111498.tif 000009